(57)【要約】【課題】  ビデオ信号のフォーマットの切替時に生ずる一時的な表示映像の乱れを最小限に抑えることができる信号送受信システム等を提供する。【解決手段】  送信するビデオ信号のブランキング区間に切替後のフォーマットに関する情報とフォーマットを切り替えるタイミングに関する情報とを挿入する。【選択図】  図２
2008028554.tif 000002
【特許請求の範囲】
【請求項１】
信号送信装置から信号受信装置にビデオ信号を送信可能な信号送受信システムであって、
上記信号送信装置は、
ビデオ信号を生成するビデオ信号生成手段と、
上記ビデオ信号のフォーマットを異なるフォーマットに切り替えるための制御信号に基づいて、切替後のフォーマットに関する情報と、切り替えるタイミングに関する情報とを上記信号生成手段により生成したビデオ信号のブランキング区間に挿入する情報挿入手段と、
上記情報挿入手段により情報を挿入したビデオ信号を送信する信号送信手段と、
を備え、
上記信号受信装置は、
上記信号送信手段により送信したビデオ信号を受信する信号受信手段と、
上記信号受信手段により受信したビデオ信号から上記切替後のフォーマットに関する情報と、切り替えるタイミングに関する情報とを取り出す情報取出手段と、
上記情報取出手段により取り出した切替後のフォーマットに関する情報と、切り替えるタイミングに関する情報とに基づいて、ビデオ再生を切り替える再生切替手段と、
を備える信号送受信システム。
【請求項２】
上記信号送信手段により送信するビデオ信号がＳＤＩ（Serial Digital Interface）規格に準拠することを特徴とする請求項１記載の信号送受信システム。
【請求項３】
上記再生切替手段では、ビデオ再生を切り替える際に再生をミュートすることを特徴とする請求項１項記載の信号送受信システム。
【請求項４】
上記信号送信装置は、オーディオ信号を生成するオーディオ信号生成手段を備え、
上記情報挿入手段では、上記オーディオ信号のフォーマットを異なるフォーマットに切り替えるための制御信号に基づいて、切替後のオーディオ信号のフォーマットに関する情報と、切り替えるタイミングに関する情報とを上記信号生成手段により生成したビデオ信号のブランキング区間に挿入すること、上記情報取出手段では、上記信号受信手段により受信したビデオ信号から切替後のオーディオ信号のフォーマットに関する情報と、切り替えるタイミングに関する情報とを取り出すこと、及び上記再生切替手段では、上記情報取出手段により取り出した切替後のオーディオ信号のフォーマットに関する情報と、切り替えるタイミングに関する情報とに基づいて、オーディオ再生を切り替える際に再生をミュートすることを特徴とする請求項２記載の信号送受信システム。
【請求項５】
ビデオ信号を生成するビデオ信号生成手段と、
上記ビデオ信号のフォーマットを異なるフォーマットに切り替えるための制御信号に基づいて、切替後のフォーマットに関する情報と、切り替えるタイミングに関する情報とを上記信号生成手段により生成したビデオ信号のブランキング区間に挿入する情報挿入手段と、
上記情報挿入手段により情報を挿入したビデオ信号を送信する信号送信手段と、
を備える信号送信装置。
【請求項６】
上記信号送信手段により送信するビデオ信号がＳＤＩ（Serial Digital Interface）規格に準拠することを特徴とする請求項５記載の信号送信装置。
【請求項７】
オーディオ信号を生成するオーディオ信号生成手段を備え、
上記情報挿入手段では、上記オーディオ信号のフォーマットを異なるフォーマットに切り替えるための制御信号に基づいて、切替後のオーディオ信号のフォーマットに関する情報と、切り替えるタイミングに関する情報とを上記信号生成手段により生成したビデオ信号のブランキング区間に挿入することを特徴とする請求項６記載の信号送信装置。
【請求項８】
ビデオ信号を受信する信号受信手段と、
上記信号受信手段により受信したビデオ信号から切替後のフォーマットに関する情報と、切り替えるタイミングに関する情報とを取り出す情報取出手段と、
上記情報取出手段により取り出した切替後のフォーマットに関する情報と、切り替えるタイミングに関する情報とに基づいて、ビデオ再生を切り替える再生切替手段と、
を備える信号受信装置。
【請求項９】
上記信号受信手段により受信するビデオ信号がＳＤＩ（Serial Digital Interface）規格に準拠することを特徴とする請求項８記載の信号受信装置。
【請求項１０】
上記再生切替手段では、ビデオ再生を切り替える際に再生をミュートすることを特徴とする請求項８項記載の信号受信装置。
【請求項１１】
上記情報取出手段では、上記信号受信手段により受信したビデオ信号から切替後のオーディオ信号のフォーマットに関する情報と、切り替えるタイミングに関する情報とを取り出すこと、及び上記再生切替手段では、上記情報取出手段により取り出した切替後のオーディオ信号のフォーマットに関する情報と、切り替えるタイミングに関する情報とに基づいて、オーディオ再生を切り替える際に再生をミュートすることを特徴とする請求項９記載の信号受信装置。
【請求項１２】
ビデオ信号を生成する信号生成ステップと、
上記ビデオ信号のフォーマットを異なるフォーマットに切り替えるための制御信号に基づいて、切替後のフォーマットに関する情報と、切り替えるタイミングに関する情報とを上記信号生成ステップにより生成したビデオ信号のブランキング区間に挿入する情報挿入ステップと、
上記情報挿入ステップにより情報を挿入したビデオ信号を送信する信号送信ステップと、
上記信号送信ステップにより送信したビデオ信号を受信する信号受信ステップと、
上記信号受信ステップにより受信したビデオ信号から上記切替後のフォーマットに関する情報と、切り替えるタイミングに関する情報とを取り出す情報取出ステップと、
上記情報取出手段により取り出した切替後のフォーマットに関する情報と、切り替えるタイミングに関する情報とに基づいて、ビデオ再生を切り替える再生切替ステップと、
を備える信号送受信方法。
【請求項１３】
ビデオ信号を生成する信号生成ステップと、
上記ビデオ信号のフォーマットを異なるフォーマットに切り替えるための制御信号に基づいて、切替後のフォーマットに関する情報と、切り替えるタイミングに関する情報とを上記信号ステップにより生成したビデオ信号のブランキング区間に挿入する情報挿入ステップと、
上記情報挿入ステップにより情報を挿入したビデオ信号を送信する信号送信ステップと、
を備える信号送信方法。
【請求項１４】
ビデオ信号を受信する信号受信ステップと、
上記信号受信ステップにより受信したビデオ信号から切替後のフォーマットに関する情報と、切り替えるタイミングに関する情報とを取り出す情報取出ステップと、
上記情報取出ステップにより取り出した切替後のフォーマットに関する情報と、切り替えるタイミングに関する情報とに基づいて、ビデオ再生を切り替える再生切替ステップと、
を備える信号受信方法。
【発明の詳細な説明】
【技術分野】
【０００１】
本発明は、一時的な表示映像の乱れを最小限に抑えることができる信号送受信システム、信号送信装置及び信号受信装置並びに信号送受信方法、信号送信方法及び信号受信方法に関する。
【背景技術】
【０００２】
近年の映像表示機器は、ＴＶ放送システムの発展、映像表示機器の進歩と共に、多岐に渡るフォーマットのビデオ信号を受信し、そのフォーマットで映像を表示できるようになっている。これに伴って、カムコーダ、ビデオレコーダ等のビデオ信号の送信側である機器についても、多岐に渡るフォーマットのビデオ信号を供給できるものが増えてきている。
【０００３】
これらの機器の多くは、ビデオ信号の送信中に、例えば、ユーザがキー入力をすることによって、ビデオ信号のフォーマットを切り替えることが可能であり、切り替えられたフォーマットのビデオ信号を引き続き連続的に送信することができる。
【０００４】
ここで、従来の信号送受信システムは、送信側の機器から送信するビデオ信号のフォーマットを異なるフォーマットに切り替えた場合に、受信側の機器で同期が突然切り替わるため、一時的に表示映像が大きく乱れてしまうという問題があった。
【０００５】
このような問題に鑑みて、これまでに様々な対策が講じられている。例えば、特許文献１には、送信するビデオ信号において、フォーマットが互いに異なる複数のビデオ信号の垂直ブランキング区間に、ビデオ信号のフォーマットを判別するための信号を含む付加情報を挿入することで、受信側の映像表示装置は、同期信号の周波数のみによって判別が困難なビデオ信号のフォーマットを容易に判別できる技術が開示されている。
【０００６】
【特許文献１】特開平１１−１９６３９３号公報
【発明の開示】
【発明が解決しようとする課題】
【０００７】
ところで、従来の信号送受信システムは、送信側の機器が送信するビデオ信号の同期の不連続を受信側の映像表示装置が検出してから表示映像の同期を切り替えるという手順を踏むため、どうしても対応が遅れ、表示上の見苦しさを改善できていなかった。
【０００８】
これに対して、例えば、特許文献１では、ビデオ信号のフォーマットを容易に判別できるようにしたため、フォーマットの切替を検出するまでの時間を短縮できるが、所定の時間を要する以上、一時的な表示映像の乱れを最小限に抑えることは困難であった。
【０００９】
そこで、本発明は、このような事情に鑑みてなされたもので、ビデオ信号のフォーマットの切替時に生ずる一時的な表示映像の乱れを最小限に抑えることができる信号送受信システム、信号送信装置及び信号受信装置並びに信号送受信方法、信号送信方法及び信号受信方法を提供することを目的とする。
【００１０】
本発明の更に他の目的、本発明によって得られる具体的な利点は、以下に説明される実施の形態の説明から一層明らかにされる。
【課題を解決するための手段】
【００１１】
上記の課題を解決するために、本発明に係る信号送受信システムは、信号送信装置から信号受信装置にビデオ信号を送信可能な信号送受信システムであって、上記信号送信装置は、ビデオ信号を生成するビデオ信号生成手段と、上記ビデオ信号のフォーマットを異なるフォーマットに切り替えるための制御信号に基づいて、切替後のフォーマットに関する情報と、切り替えるタイミングに関する情報とを上記信号生成手段により生成したビデオ信号のブランキング区間に挿入する情報挿入手段と、上記情報挿入手段により情報を挿入したビデオ信号を送信する信号送信手段と、を備え、上記信号受信装置は、上記信号送信手段により送信したビデオ信号を受信する信号受信手段と、上記信号受信手段により受信したビデオ信号から上記切替後のフォーマットに関する情報と、切り替えるタイミングに関する情報とを取り出す情報取出手段と、上記情報取出手段により取り出した切替後のフォーマットに関する情報と、切り替えるタイミングに関する情報とに基づいて、ビデオ再生を切り替える再生切替手段と、を備える。
【００１２】
また、上記の課題を解決するために、本発明に係る信号送信装置は、ビデオ信号を生成するビデオ信号生成手段と、上記ビデオ信号のフォーマットを異なるフォーマットに切り替えるための制御信号に基づいて、切替後のフォーマットに関する情報と、切り替えるタイミングに関する情報とを上記信号生成手段により生成したビデオ信号のブランキング区間に挿入する情報挿入手段と、上記情報挿入手段により情報を挿入したビデオ信号を送信する信号送信手段と、を備える。
【００１３】
また、上記の課題を解決するために、本発明に係る信号受信装置は、ビデオ信号を受信する信号受信手段と、上記信号受信手段により受信したビデオ信号から切替後のフォーマットに関する情報と、切り替えるタイミングに関する情報とを取り出す情報取出手段と、上記情報取出手段により取り出した切替後のフォーマットに関する情報と、切り替えるタイミングに関する情報とに基づいて、ビデオ再生を切り替える再生切替手段と、を備える。
【００１４】
また、上記の課題を解決するために、本発明に係る信号送受信方法は、ビデオ信号を生成する信号生成ステップと、上記ビデオ信号のフォーマットを異なるフォーマットに切り替えるための制御信号に基づいて、切替後のフォーマットに関する情報と、切り替えるタイミングに関する情報とを上記信号生成ステップにより生成したビデオ信号のブランキング区間に挿入する情報挿入ステップと、上記情報挿入ステップにより情報を挿入したビデオ信号を送信する信号送信ステップと、上記信号送信ステップにより送信したビデオ信号を受信する信号受信ステップと、上記信号受信ステップにより受信したビデオ信号から上記切替後のフォーマットに関する情報と、切り替えるタイミングに関する情報とを取り出す情報取出ステップと、上記情報取出手段により取り出した切替後のフォーマットに関する情報と、切り替えるタイミングに関する情報とに基づいて、ビデオ再生を切り替える再生切替ステップと、を備える。
【００１５】
また、上記の課題を解決するために、本発明に係る信号送信方法は、ビデオ信号を生成する信号生成ステップと、上記ビデオ信号のフォーマットを異なるフォーマットに切り替えるための制御信号に基づいて、切替後のフォーマットに関する情報と、切り替えるタイミングに関する情報とを上記信号生成ステップにより生成したビデオ信号のブランキング区間に挿入する情報挿入ステップと、上記情報挿入ステップにより情報を挿入したビデオ信号を送信する信号送信ステップと、を備える。
【００１６】
更に、上記の課題を解決するために、本発明に係る信号受信方法は、ビデオ信号を受信する信号受信ステップと、上記信号受信ステップにより受信したビデオ信号から切替後のフォーマットに関する情報と、切り替えるタイミングに関する情報とを取り出す情報取出ステップと、上記情報取出ステップにより取り出した切替後のフォーマットに関する情報と、切り替えるタイミングに関する情報とに基づいて、ビデオ再生を切り替える再生切替ステップと、を備える。
【発明の効果】
【００１７】
本発明によれば、送信するビデオ信号のブランキング区間に切替後のフォーマットに関する情報とフォーマットを切り替えるタイミングに関する情報とを挿入するようにしたため、受信側の機器で切替後のフォーマットとフォーマットを切り替えるタイミングとを予め知ることができ、ビデオ信号のフォーマットの切替時に生ずる一時的な表示映像の乱れを最小限に抑えることができる。
【発明を実施するための最良の形態】
【００１８】
以下、本発明を実施するための最良の形態について、図面を参照しながら詳細に説明する。本発明は、例えば、図１に示すような構成の信号送受信システム１に適用される。
【００１９】
この信号送受信システム１は、カムコーダ、ビデオレコーダ等のビデオ信号の送信側である機器（図１ではカムコーダ２）の一部を構成する信号送信装置１０と、ＴＶ（テレビジョン）、モニタ等のビデオ信号の受信側である機器（図１ではＴＶ３）の一部を構成する信号受信装置２０とを備え、信号送信装置１０と信号受信装置２０とが有線又は無線のインタフェース４により接続されたものである。
【００２０】
この信号送受信システム１において、信号送信装置１０は、例えば、図２のブロック図に示すように、ビデオ信号生成ブロック１１と、オーディオ信号生成ブロック１２と、制御マイコンブロック１３と、信号多重処理ブロック１４と、パラレル・シリアル変換ブロック１５と、送信用符号化処理ブロック１６と、ドライバ１７とを備えて構成されている。
【００２１】
ビデオ信号生成ブロック１１は、制御マイコンブロック１３の制御信号に基づいて所定のフォーマットのビデオ信号を生成し、信号多重処理ブロック１４に出力する。例えば、ＣＣＤやＣＭＯＳ等の撮像素子により被写体の映像を光電変換してビデオ信号を生成してもよいし、ビデオ再生装置によりビデオ信号を生成してもよい。ここで、ビデオ信号のフォーマットとは、ビデオ信号の水平・垂直同期信号の周波数や、画角を示すが、それに限定されず、例えば、信号の量子化ビット数や色信号の色空間に関する設定等を含めてもよい。図３にビデオ信号生成ブロック１１により生成されるビデオ信号のフォーマットの一例を示す。例えば、Ｄ４端子を備えた機器におけるフォーマットの水平・垂直同期信号の周波数は４８０／６０ｉ、４８０／６０ｐ、７２０／６０ｐ、１０８０／６０ｉ等とバリエーションがある。
【００２２】
オーディオ信号生成ブロック１２は、制御マイコンブロック１３の制御信号に基づいて所定のフォーマットのオーディオ信号を生成し信号多重処理ブロック１４に出力する。例えば、マイクロフォンによりオーディオ信号を生成してもよいし、オーディオ再生装置によりオーディオ信号を生成してもよい。ここで、オーディオ信号のフォーマットとは、例えば、サンプリング周波数を示す。
【００２３】
制御マイコンブロック１３は、信号送信装置の各部の統括的な制御を行うと共に補助データを生成し信号多重処理ブロック１４に出力する。制御マイコンブロック１３は、例えば、ユーザからのキー入力により、ビデオ信号のフォーマットを切り替えるための制御信号を受けて、ビデオ信号生成ブロック１１にフォーマットを切り替えるための制御信号を出力すると共に、ユーザにより選択された切替後のビデオ信号のフォーマットに関する情報と、何フレーム後にフォーマットを切り替えるかという情報を補助データとして信号多重処理ブロック１４に出力する。
【００２４】
また、制御マイコンブロック１３は、例えば、ユーザからのキー入力により、オーディオ信号のフォーマットを切り替えるための制御信号を受けて、オーディオ信号生成ブロック１２にフォーマットを切り替えるための制御信号を出力すると共に、ユーザにより選択された切替後のオーディオ信号のフォーマットに関する情報と、何フレーム後にフォーマットを切り替えるかという情報を補助データとして信号多重処理ブロック１４に出力する。
【００２５】
信号多重処理ブロック１４は、ビデオ信号のブランキング区間にオーディオ信号と補助データとを格納する。
【００２６】
パラレル・シリアル変換ブロック１５は、信号多重処理ブロック１４において重畳された信号をパラレル信号からシリアル信号に変換する。
【００２７】
送信用符号化処理ブロック１６は、パラレル・シリアル変換ブロック１５においてシリアル信号に変換されたビデオ信号を送信するための符号化処理を行う。
【００２８】
ドライバ１７は、送信用符号化処理ブロック１６において処理されたビデオ信号を増幅して送信する。実施例では、送信するビデオ信号がベースバンドビデオ信号の標準的シリアル伝送方式であるＳＤＩ規格に準拠するものとして説明するが、本発明はこれに限定されない。また、ＳＤＩ規格のようなシリアル伝送方式に限定されず、パラレル伝送方式であってもよい。
【００２９】
このＳＤＩ規格は、米国映画テレビ技術者協会（ＳＭＰＴＥ：Society of Motion Picture and Television Engineers）によって定められたものであり、映像データや音声データを含むディジタルデータをシリアルデータに変換して伝送することを規定する。
【００３０】
また、この信号送受信システム１において、信号受信装置２０は、例えば、図４のブロック図に示すように、レシーバ２１と、波形等価処理ブロック２２と、データ検出処理ブロック２３と、シリアル・パラレル変換ブロック２４と、信号分離処理ブロック２５と、制御マイコン２６とを備えて構成されている。
【００３１】
レシーバ２１は、送信されたビデオ信号を受信し、増幅した後、波形等価処理ブロック２２に出力する。
【００３２】
波形等価処理ブロック２２は、送信時の波形ひずみの補正を行い、データ検出ブロック２３に出力する。
【００３３】
データ検出ブロック２３は、波形ひずみ補正がなされた信号を０／１のディジタルデータ系列として検出し、シリアル・パラレル変換ブロック２４に出力する。
【００３４】
シリアル・パラレル変換ブロック２４は、ディジタルデータ系列として検出されたシリアル信号をパラレル信号に変換して、信号分離処理ブロック２５に出力する。
【００３５】
信号分離処理ブロック２５は、ディジタルデータ系列からオーディオデータ、及び補助データを分離し、メインデータであるビデオデータと共にそれぞれ独立したデータとして出力する。
【００３６】
制御マイコンブロック２６は、信号受信装置の各部の統括的な制御を行うと共に信号分離処理ブロック２５において分離された補助データに基づいて、ビデオ再生（オーディオ再生）のフォーマットの切り換えの際、例えば、ミュートをかけるように各部を制御する。
【００３７】
ここで、ＳＤＩ規格によって伝送されるシリアルディジタルデータについて説明する。シリアルディジタルデータは、図５に示すような構成をしている。ビデオ信号の水平方向の画素１ライン分が１単位になっており、ＳＡＶ（Start of Active Video）、ＥＡＶ（End of Active Video）と呼ばれるタイミングリファレンス信号で有効ビデオデータを挟む形になっている。
【００３８】
また、ＥＡＶとＳＡＶの間の区間には任意の補助データを格納できるようになっている。本発明は、この補助データ格納可能領域に次に出力されるビデオ信号のフォーマットと、そのフォーマットでビデオ信号が出力されるまでのフレーム数とを格納して送信することにより、受信側の機器に対していち早くストリームのフォーマットを知らせようとするものである。なお、ＳＤＩ規格におけるＥＡＶとＳＡＶとの間の区間は、サンプリング前のビデオ信号のブランキング区間に相当する。
【００３９】
ここで、図６を参照して、ＳＤＩ規格で規定された補助データの構成について説明する。補助データは、３ワードのアンシラリデータフラグ（Ancillary Data Flag）、１ワードのデータＩＤ（Data ID）、データブロックナンバー／セカンダリーデータＩＤ（Data Block Number/Secondary Data ID）、データカウント（Data Count）、ユーザデータワード（User Data Words）、及びチェックサム（Check Sum）の各データを含んでいる。１ワードは８ビット又は１０ビットのデータを格納できる。この補助データのユーザデータワードの１ワードに、例えば、図７に示すような形式で次に出力されるビデオ信号のフォーマットと、出力されるまでのフレーム数とを格納することが可能である。
【００４０】
格納するデータに関して、ビデオ信号のフォーマットについては、ＳＤＩ規格で規定されているフォーマットに適当な番号を、例えば、図３に示すように割り振り、次に出力されるフォーマットに対応する番号をユーザデータワードの下位４ビットに格納する。切替までのフレーム数については、ユーザからの切替指示を受けた後に、制御マイコンブロック１３が機器の状態を判断した上で、フォーマットの切替を実行するまでに数フレームの余裕を持たせ、その余裕分のフレーム数をユーザデータワードの上位４ビットに格納する。
【００４１】
次に、ビデオ信号のフォーマットを切り替えた際の信号送受信システム１の動作について説明する。
【００４２】
初めに、信号送信装置１０の動作について説明する。例えば、送信側の機器がビデオカメラである場合、ビデオ信号のフォーマットは内部信号処理回路の設定で決定され、一般的にはそのシステムの制御マイコンブロック１３がその設定を行う。また、最初のトリガーはユーザのキー入力によるものであり、それによって一連の切り替え動作が開始される。
【００４３】
図８を参照して、信号送信装置におけるフォーマットの切替のタイミングについて説明する。
【００４４】
まず、制御マイコンブロック１３が、ユーザのキー入力等によりフォーマットを切り替える制御信号を受信する。実施例では、図８の「ユーザ設定モード」に示すタイミングで、ユーザが４８０ｉのＳＤ信号から１０８０ｉのＨＤ信号に切り替えている。制御マイコンブロック１３は、制御信号を受信しても直ちに設定変更を実行せず、受信側の機器に処理の余裕を持たせるため、敢えてシステムへの設定変更を遅らせる。実施例では、ビデオ信号生成ブロック１１が、制御マイコンブロック１３の制御信号に基づいて、図８の「マイコン設定モード」に示すように、タイミングをユーザ設定モードよりも５フレーム分遅らせてビデオ信号を生成することにより、「ビデオ信号出力」の切り替えも５フレーム遅らせている。
【００４５】
また、制御マイコンブロック１３は、図７に規定した付加データをビデオ信号のブランキング区間に挿入する。付加データの「フレームカウント」には、図８の「フレームカウント」に示すように、ユーザによる切替直後のフレームから１フレーム毎に５，４，３，２，１とカウントダウンし、「次のフォーマット」には図３に示すように規定した次のフォーマットの番号である５（１０８０ｉ，１．４８５Ｇｂｐｓ）を値として格納していく。なお、格納する２種類の値はデフォルト値として０を格納し、同じフォーマットの信号が連続する限り、０以外の値は入らないものとする。
【００４６】
次に、信号受信装置２０の動作を図９を参照して説明する。受信側の機器は一般的な表示機器（モニタ）を想定している。信号受信装置２０の制御マイコンブロック２６は常にストリーム中の付加データの「フレームカウント」と「次のフォーマット」を監視しており、「フレームカウント」と「次のフォーマット」がデフォルト値の０であれば何もしない。
【００４７】
制御マイコンブロック２６は、「フレームカウント」の値が０以外であれば、「フレームカウント」の値（例えば５）以降のフレームでフォーマットの切り替えが起こることを先行して知ることができる。
【００４８】
制御マイコンブロック２６は、この間を利用して、切り替えの準備を行うことができる。例えば、フォーマットの切替時の乱れを隠すため、図９の「ミュート制御信号」に示すタイミングでミュート（表示ＯＦＦ）する。また、例えば、クロックや水平又は垂直同期信号を表示がＯＦＦの状態で外部に乱れを見せることなく切り替える。更に、一般的にＶＣＸＯを使用する受信側のクロック生成回路は、その特性上周波数が大きく動いた場合の引き込みに時間を要するが、その時間を稼ぐことが可能となる。
【００４９】
図９に示す実施例では、「フレームカウント」が３から２に変わるところで「ミュート制御信号」をＯＮにし、「表示信号出力」のミュートをＯＮにする。ミュートをＯＮにしてから４フレーム後に「ミュート制御信号」をＯＦＦにし、「表示信号出力」のミュートをＯＦＦにする。
【００５０】
図９に示す「マイコン設定モード」では、制御マイコンブロック２６が、「フレームカウント」が１から０に変わるところでフォーマットを変更している。その結果、モニタの表示は、図９に示す「表示信号出力」のようになり、同期系の切り替えによる映像の乱れを隠すことが可能になる。
【００５１】
なお、ここに挙げた数値は例にすぎず、システムの都合によって適当なタイミングに設定することが可能である。また、信号送信装置１０が送信する付加データの「フレームカウント」は、フォーマットが切り替わるまでの時間の最小値を示しているので、切替に間に合えば、信号受信装置２０でのミュートを含む内部設定のタイミングを自由に選ぶことができる。例えば、同期設定後にシステムが安定するまでに時間が必要であればミュートをＯＦＦにするタイミングを遅くすればよい。
【００５２】
この実施例では、フォーマットとして、特にビデオ信号の水平・垂直同期信号の周波数や、画角に関する情報を補助データとして格納する例を示したが、フォーマットはそれに限定されず、例えば、信号の量子化ビット数や色信号の色空間に関する設定等に関する情報を補助データとして格納することも可能である。
【００５３】
更に、ＳＤＩ規格を例にとれば、オーディオ信号がビデオ信号のブランキング区間に多重して伝送されるが、同じく補助データの中に続いて伝送される次のオーディオ信号に関する情報を格納することも可能である。例えば、サンプリング周波数が異なる場合等には、切り替え部にてミュートが必要になるが、本方式を用いることにより、的確なミュートタイミングを受信側の機器に知らせることが可能になる。
【００５４】
なお、本方式を用いた場合、送信側でのキー入力に対して送信側内部のシステムの追従が若干遅れることになるが、受信側でこの処理に対応していない場合には、送信側にて本機能をＯＮ／ＯＦＦすることができるようにしておけばこれを回避することができる。
【図面の簡単な説明】
【００５５】
【図１】信号送受信システムの一実施形態を示す図である。
【図２】本発明の一実施形態における信号送信装置のブロック図である。
【図３】ビデオ信号のフォーマットの一実施形態を示す図である。
【図４】本発明の一実施形態における信号受信装置のブロック図である。
【図５】ＳＤＩ規格のビデオ信号の構成を示す図である。
【図６】ＳＤＩ規格のビデオ信号の補助データの構成を示す図である。
【図７】本発明の一実施形態における付加データの構成を示す図である。
【図８】信号送信装置におけるフォーマットの切替時の動作について説明するための図である。
【図９】信号受信装置におけるフォーマットの切替時の動作について説明するための図である。
【符号の説明】
【００５６】
１  信号送受信システム、２  カムコーダ、３  ＴＶ（テレビジョン）、４  インタフェース、１０  信号送信装置、１１  ビデオ信号生成ブロック、１２  オーディオ信号生成ブロック、１３  制御マイコンブロック、１４  信号多重処理ブロック、１５  パラレル・シリアル変換ブロック、１６  送信用符号化処理ブロック、１７  ドライバ、２０  信号受信装置、２１  レシーバ、２２  波形等価処理ブロック、２３  データ検出処理ブロック、２４  シリアル・パラレル変換ブロック、２５  信号分離処理ブロック、２６  制御マイコンブロック
【図１】
2008028554.tif 000003
【図２】
2008028554.tif 000004
【図３】
2008028554.tif 000005
【図４】
2008028554.tif 000006
【図５】
2008028554.tif 000007
【図６】
2008028554.tif 000008
【図７】
2008028554.tif 000009
【図８】
2008028554.tif 000010
【図９】
2008028554.tif 000011